(57)【要約】  【課題】高さ方向の寸法精度を上げる必要無しにスムーズに引戸の開閉を行え、使用勝手が良くコストダウンも可能であるといった優れた間仕切りシステムを提供する。  【解決手段】パネル１と、このパネル１に対してスライド移動可能に設けた引戸２とを具備する間仕切りシステムＺであって、前記パネル１は、前記引戸２がスライド移動する際に、該引戸２の傾動を許容しながら支持するパネル側支持体１６を具備し、前記引戸２は、前記パネル１に当接して該引戸２がスライド移動する際の該引戸２の傾動を阻止する引戸側被支持体２５を具備するようにした。【選択図】図４
2006097352.tif 000002
【特許請求の範囲】
【請求項１】
パネルと、このパネルに対してスライド移動可能に設けた引戸とを具備する間仕切りシステムであって、
前記パネルは、前記引戸がスライド移動する際に、該引戸の傾動を許容しながら支持するパネル側支持体を具備し、
前記引戸は、前記パネルに当接して該引戸がスライド移動する際の該引戸の傾動を阻止する引戸側被支持体を具備することを特徴とする間仕切りシステム。
【請求項２】
前記パネル側支持体と引戸側被支持体とを、略同一高さにある複数のレールに関連させて設けていることを特徴とする請求項１記載の間仕切りシステム。
【請求項３】
前記引戸は、その下端側に沿って設けられた引戸下端側レールを備え、
前記パネルの下端側に設けられたパネル側支持体は、スライド移動する引戸の引戸下端側レールをスライド移動可能に係合支持することを特徴とする請求項１又は２記載の間仕切りシステム。
【請求項４】
前記パネル側支持体は、パネルの一方の下端側に設けられるとともに、
前記引戸側被支持体を、引戸を閉止位置に位置付けた際には、前記パネルの一方の下端側と対応する位置に位置付けられ、
又、引戸を開放位置に位置付けた際には、前記パネルの他方の下端側に対応する位置に位置付けられるように、引戸を配置してなることを特徴とする請求項１乃至３いずれか記載の間仕切りシステム。
【請求項５】
前記パネル側支持体が、前記スライド方向に転動可能なローラであることを特徴とする請求項１乃至４いずれか記載の間仕切りシステム。
【請求項６】
前記パネルが、下端縁に沿って設けたパネル下端側レールを具備するものであり、
前記引戸側被支持体が、前記下端側レールに係合支持されつつ引戸のスライド移動に伴ってスライド移動するものであることを特徴とする請求項１乃至５いずれか記載の間仕切りシステム。
【請求項７】
前記引戸側被支持体が、前記スライド方向に転動可能なローラであることを特徴とする請求項１乃至６いずれか記載の間仕切りシステム。
【請求項８】
前記引戸が、接地することにより当該引戸の傾動を補助的に阻止する接地体を具備することを特徴とする請求項１乃至７いずれか記載の間仕切りシステム。
【請求項９】
前記接地体を、車輪で構成していることを特徴とする請求項８記載の間仕切りシステム。
【請求項１０】
開放位置に移動してきた引戸を、その開放位置にて保持する開放位置用保持部を具備していることを特徴とする請求項１乃至９いずれか記載の間仕切りシステム。
【請求項１１】
引戸は、その上端側に沿って設けた引戸上端側レールを備え、また、前記パネルは、その上端側の側縁部近傍において引戸に向けて突出する突出部を備えるものであって、
引戸上端側レール内に配した開放位置用保持部が、引戸上端側レール内をスライド移動してきた突出部を、着脱可能に挟持する一対の挟持要素を具備することを特徴とする請求項１０記載の間仕切りシステム。
【請求項１２】
閉止位置に移動してきた引戸を、その閉止位置にて保持する閉止位置用保持部を具備していることを特徴とする請求項１乃至１１いずれか記載の間仕切りシステム。
【請求項１３】
引戸は、その上端側に沿って設けた引戸上端側レールを備え、また、前記パネルは、その上端側の側縁部近傍において引戸に向けて突出する突出部を備えるものであって、
引戸上端側レール内に配した閉止位置用保持部が、引戸上端側レール内をスライド移動してきた突出部を、着脱可能に挟持する一対の挟持要素を具備することを特徴とする請求項１２記載の間仕切りシステム。
【発明の詳細な説明】
【技術分野】
【０００１】
本発明は、ワークステーションやミーティングスペースを構成する空間を簡単に区分けして集中し得る空間を形成可能であり、また、一部を開放して人が出入りすることも可能な間仕切りシステムに関するものである。
【背景技術】
【０００２】
従来から、1又は複数枚のパネルを用いて空間を間仕切りすることにより、ワークステーションやミーティングスペースが形成されるようにした間仕切りシステムが知られている。
【０００３】
そして、この種の間仕切りシステムは、顧客の多様化するニーズに応えるため、集中し得る空間を形成し得るとともに人が出入りすることもできるように、離間配置される２枚のパネルの両端部間に、開閉用の引戸を設けたものが提供されるようになってきている。具体的には、一方のパネル側の一面に、上下２個ずつのローラを水平配置として回転自在に設け、引戸の一面にはローラに係合してスライド可能なレールを固設するように構成されている（例えば、特許文献１参照。）。
【特許文献１】特開２００１−３２６１３号公報
【発明の開示】
【発明が解決しようとする課題】
【０００４】
しかしながら、このようなものでは、例えば引戸の高さ寸法が大きくなった際などのように、上下のローラ間の寸法精度や上下のレール間の寸法精度が確保できない場合には、スムーズに引戸を開閉できなくなるといった問題点を有している。
【０００５】
本発明は、このような課題に着目してなされたものであって、主たる目的は、高さ方向の寸法精度を上げる必要無しにスムーズに引戸の開閉を行え、使用勝手が良くコストダウンも可能であるといった優れた間仕切りシステムを提供することにある。
【課題を解決するための手段】
【０００６】
すなわち、本発明の間仕切りシステムは、パネルと、このパネルに対してスライド移動可能に設けた引戸とを具備する間仕切りシステムであって、前記パネルは、前記引戸がスライド移動する際に、該引戸の傾動を許容しながら支持するパネル側支持体を具備し、前記引戸は、前記パネルに当接して該引戸がスライド移動する際の該引戸の傾動を阻止する引戸側被支持体を具備することを特徴とする。
【０００７】
このようなものであれば、引戸をパネルに対してスライド移動させる際において、引戸が傾動していない場合には、パネルに設けたパネル側支持体が引戸をスライド可能に支持し、また、引戸が若干傾動した場合でも、そのパネル側支持体が引戸を傾動を許容しながらスライド可能に支持する。また、引戸が大きく傾動しようとすると、引戸に設けた引戸側被支持体が、パネルに当接して当該引戸の傾動を阻止するように動作する。このように、いずれの場合であっても、スムーズに引戸の開閉を行うことができる。加えて、パネル側支持体が引戸を傾動を許容しながらスライド可能に支持するので、引戸の傾動を押さえるために、高さ方向の寸法精度を上げる必要もなく、コストダウンを図ることもできる。
【０００８】
すなわち、高さ方向の寸法精度を上げる必要無しにスムーズに引戸の開閉を行え、使用勝手が良くコストダウンも可能であるといった優れた間仕切りシステムを提供することができる。
【０００９】
前記パネル側支持体と引戸側被支持体とを、略同一高さにある複数のレールに関連させて設けているものであれば、部材の共有化を図れコストダウンできる上、システムをコンパクトに実現できる。
【００１０】
本発明の望ましい態様としては、前記引戸は、その下端側に沿って設けられた引戸下端側レールを備え、前記パネルの下端側に設けられたパネル側支持体は、スライド移動する引戸の引戸下端側レールをスライド移動可能に係合支持するようにしたものが挙げられる。
【００１１】
前記パネル側支持体は、パネルの一方の下端側に設けられるとともに、前記引戸側被支持体を、引戸を閉止位置に位置付けた際には、前記パネルの一方の下端側と対応する位置に位置付けられ、又、引戸を開放位置に位置付けた際には、前記パネルの他方の下端側に対応する位置に位置付けられるように、引戸を配置してなるのであれば、例えば、引戸が幅広のものであっても、好適にスライドさせることができる。
【００１２】
スムーズなスライド移動を実現するには、前記パネル側支持体が、前記スライド方向に転動可能なローラであることが望ましい。
【００１３】
前記パネルが、下端縁に沿って設けたパネル下端側レールを具備するものであり、前記引戸側被支持体が、前記下端側レールに係合支持されつつ引戸のスライド移動に伴ってスライド移動するものであれば、引戸のスムーズなスライド移動を実現できる。
【００１４】
引戸のスライド移動を妨げること無く、引戸の傾動を防止するには、前記引戸側被支持体が、前記スライド方向に転動可能なローラであることが好ましい。
【００１５】
前記引戸が、接地することにより当該引戸の傾動を補助的に阻止する接地体を具備するのであれば、引戸が無用に傾いてしまうことを補助的に阻止して、部材の損傷などを防止できる。
【００１６】
引戸が無用に傾くことを補助的に阻止しながら、引戸をスライド移動するには、前記接地体を、車輪で構成していることが望ましい。
【００１７】
開放位置に移動してきた引戸を、その開放位置にて保持する開放位置用保持部を具備しているものであれば、引戸を、開放位置に確実に位置付けて安定して静止させることができる。このとき、引戸は、その上端側に沿って設けた引戸上端側レールを備え、また、前記パネルは、その上端側の側縁部近傍において引戸に向けて突出する突出部を備えるものであって、引戸上端側レール内に配した開放位置用保持部が、引戸上端側レール内をスライド移動してきた突出部を、着脱可能に挟持する一対の挟持要素を具備するのであれば、間仕切りシステムをコンパクトにできる。
【００１８】
閉止位置に移動してきた引戸を、その閉止位置にて保持する閉止位置用保持部を具備しているものであれば、引戸を、閉止位置に確実に位置付けて安定して静止させることができる。このとき、引戸は、その上端側に沿って設けた引戸上端側レールを備え、また、前記パネルは、その上端側の側縁部近傍において引戸に向けて突出する突出部を備えるものであって、引戸上端側レール内に配した閉止位置用保持部が、引戸上端側レール内をスライド移動してきた突出部を、着脱可能に挟持する一対の挟持要素を具備するのであれば、間仕切りシステムをコンパクトにできる。
【発明の効果】
【００１９】
以上説明したように本発明の間仕切りシステムによれば、引戸をパネルに対してスライド移動させる際において、引戸が傾動していない場合には、パネルに設けたパネル側支持体が引戸をスライド可能に支持し、また、引戸が若干傾動した場合でも、そのパネル側支持体が引戸を傾動を許容しながらスライド可能に支持する。また、引戸が大きく傾動しようとすると、引戸に設けた引戸側被支持体が、パネルに当接して当該引戸の傾動を阻止するように動作する。このように、いずれの場合であっても、スムーズに引戸の開閉を行うことができる。加えて、パネル側支持体が引戸を傾動を許容しながらスライド可能に支持するので、引戸の傾動を押さえるために、高さ方向の寸法精度を上げる必要もなく、コストダウンを図ることもできる。
【００２０】
すなわち、高さ方向の寸法精度を上げる必要無しにスムーズに引戸の開閉を行え、使用勝手が良くコストダウンも可能であるといった優れた間仕切りシステムを提供することができる。
【発明を実施するための最良の形態】
【００２１】
以下、本発明の一実施形態を、図面を参照して説明する。
【００２２】
本発明に係る間仕切りシステムＺは、図１等に示すように、パネル１と、このパネル１に対してスライド移動可能に設けた引戸２とを具備するものである。なお、本実施形態では、引戸２が配される側を「表側」、パネル１が配される側を「裏側」と定義して説明を進めるものとする。以下、具体的に各部を説明する。
【００２３】
パネル１は、高さ調整可能なアジャスタ１Ａを下端部に備えた一対のパネル支柱１１と、これらパネル支柱１１間に板金部材（図示せず）を利用して横架させた複数の横架材１２と、パネル支柱１１または横架材１２に板金部材（図示せず）を利用して着脱可能に取り付けた複数枚のパネル本体１３と、最下段のパネル本体１３の下端側における表側に露出するように一対のパネル支柱１１に板金部材（図示せず）を利用して取り付けたパネル下端側レール１４と、パネル下端側レール１４にパネル側支持体取付部材１５を用いて取り付けたパネル側支持体１６と、引戸２の上端側を補助的に支持するための上端側補助支持部１７とを具備している。
【００２４】
より具体的には、パネル支柱１１は、アルミ製押出材を所定寸法に切断して形成したものである。
【００２５】
横架材１２は、アルミ製押出材を所定寸法に切断して形成したものである。
【００２６】
パネル本体１３は、幅寸法に前記パネル支柱１１間の寸法と同等の寸法を有する正面視略横長矩形状のものである。なお、また、本実施形態では、表側と裏側とには、それぞれ３枚のパネル本体１３を取り付けるようにしているが、正面視略縦長矩形状のものを１枚のみ取り付けるなど、取付枚数は任意で良い。
【００２７】
パネル下端側レール１４は、アルミ製押出材を所定寸法に切断して形成したものである。そして、図４、図８等に示すように、上壁１４ａ、下壁１４ｂ、及び中壁１４ｃとを備えた断面視横向き略コ字状のパネル下端側レール部１４１を備えている。なお、上壁１４ａ及び下壁１４ｂの先端部には、このパネル下端側レール部１４１の開口を若干狭めるように、合い寄る方向に伸びる一対の先端壁１４ｄを設けている。
【００２８】
パネル側支持体１６は、スライド方向に転動可能なローラ部１６１と、このローラ部１６１の回転軸となる軸部１６２とを備えてなる。
【００２９】
上端側補助支持部１７は、図６、図７、図８等に示すように、パネル支柱１１の上端部に着脱可能に取り付けられる補助支持部本体１７１と、補助ローラ１７２と、補助ローラ１７２を支持する補助ローラ支持部１７３と、補助ローラ支持部１７３を保持する保持部１７４とを備えてなる。
【００３０】
さらに詳述すると、補助支持部本体１７１は、図９等に示すように、板金素材を塑性変形加工により形成したものであって、パネル支柱１１の長孔矩形状の係合孔１１ｋに着脱可能に取り付けられる係合爪１７１ｋを備えた引掛け部１７１Ａと、補助ローラ１７２の軸部１６２と干渉を避けるための長孔状の逃げ孔１７１ｎを備えた平板部１７１Ｂと、平板部１７１Ｂの上端部に連続して設けた断面視略コ字状の鍔部１７１Ｃとを具備してなる。
【００３１】
補助ローラ１７２は、前記パネル側支持体１６と同様の構成を有するものである。
【００３２】
補助ローラ支持部１７３は、図１０等に示すように、平板状のものであって、略中央に補助ローラ７１２の軸部を取付可能な軸部取付部１７３ｊと、突出部たる突出ピンＴＰを取付可能な１対の突出ピン取付部１７３ｋとを備えてなる。この突出ピンＴＰが、後述する引戸上端側レール２３内の一対の挟持要素ｈに挟持されることにより、引戸２を閉止位置（Ｐ１）または開放位置（Ｐ２）にて保持できる。
【００３３】
保持部１７４は、図１１等に示すように、側面視Ｌ字状を成すものであって、補助ローラ７１２の軸部を避けるための退避部１７４ａと、補助ローラ支持部１７３を保持するための一対の保持要素１７４ｂとを備えてなる。退避部１７４ａは、部分円弧状を成すものである。また、各保持要素１７４ｂは、平面視略Ｌ字状を成すものである。
【００３４】
引戸２は、半透明状の引戸本体２１と、引戸本体２１の下端側及び上端側に設けた引戸下端側レール２２及び引戸上端側レール２３と、引戸下端側レール２２に引戸側被支持体取付部材２４を用いて取り付けた引戸側被支持体２５と、引戸本体２１の両側に設けた縦フレーム２６と、引戸２下側レールの下側に設けた補助車輪２７とを具備している。
【００３５】
引戸本体２１は、正面視略矩形状をなすプラスチック製のものである。
【００３６】
引戸下端側レール２２は、アルミ製押出材を所定寸法に切断して形成したものである。そして、図４、図８等に示すように、上片２２ａ、下片２２ｂ、及び中片２２ｃとを備えた断面視横向き略コ字状の引戸下端側レール部２２１と、引戸本体２１の下端部を保持する断面視上向きコ字状の引戸本体下側支持部２２２を備えている。なお、引戸下端側レール部２２１の上片２２ａ及び下片２２ｂには、この引戸下端側レール部２２１の開口を若干狭めるように、合い寄る方向に伸びる一対の先端片２２ｄを設けている。
【００３７】
引戸上端側レール２３は、アルミ製押出材を所定寸法に切断して形成したものである。そして、図６等に示すように、上板部２３ａ、下板部２３ｂ、及び中板部２３ｃとを備えた断面視横向き略コ字状の引戸上端側レール部２３１と、引戸本体２１の上端部を保持する断面視下向きコ字状の引戸本体上側支持部２３２を備えている。なお、引戸上端側レール部２３１の上板部２３ａ及び下板部２３ｂには、この引戸上端側レール部２３１の開口を若干狭めるように、合い寄る方向に伸びる一対の先端板部２３ｄを設けている。また、本実施形態では、引戸上端側レール部２３１の一端側に、閉止位置用保持部Ｈ１を設け、他端側に、開放位置用保持部Ｈ２を設けている、閉止位置用保持部Ｈ１及び開放位置用保持部Ｈ２とは、同様の構成のものであり、図１２に示すように、対向する一対の挟持要素ｈを備えている。この挟持要素ｈは、弾性変形可能な合成樹脂製のものであって、基端部から中央部に向けて漸次圧肉になり、且つ中央部から先端部に向けて漸次先細の形状を有している。
【００３８】
引戸側被支持体２５は、前記パネル側支持体１６と同様の構成を有するものである。
【００３９】
縦フレーム２６は、アルミ製押出材を所定寸法に切断して形成したものである。
【００４０】
補助車輪２７は、引戸２のスライド方向に転動するものである。
【００４１】
以下、間仕切りシステムＺの使用方法を以下に説明する。
【００４２】
（１）開放位置（Ｐ２）にある引戸２を閉止位置（Ｐ１）に移動する場合。
【００４３】
図３に示すように、開放位置（Ｐ２）にある引戸２に手指などを掛け、引戸２が閉止位置（Ｐ１）に向けてスライド移動するように力を加える。すると、引戸上端側レール２３内の一対の挟持要素ｈに挟持されている一方の突出ピンＴＰが、その挟持を解かれる。そして、パネル側支持体１６のローラ部１６１が、引戸下端側レール部２２１内でスライド方向に転動を始め、引戸２がスライド方向に移動する。このとき、引戸２の重心が、パネル側支持体１６の位置よりもパネル１側にあるので、引戸２は、パネル側支持体１６を中心にパネル１側に後傾する状態になるが、引戸側被支持体２５が、さらに後傾することを阻止する。具体的には、引戸側被支持体２５のローラ部１６１が、パネル下端側レール１４の下壁１４ｂに当接することにより阻止される。なお、この引戸側被支持体２５のローラ部１６１は、転動するので、引戸２のスライド移動を無用に妨げることは無い。
【００４４】
そして、引戸２が、その重心が、パネル側支持体１６の位置よりも反パネル１側の位置まで移動すると、引戸２は、パネル側支持体１６を中心に反パネル１側に前傾する状態になる。このとき、引戸側被支持体２５のローラ部１６１が、パネル下端側レール１４の上壁１４ａに当接することにより、さらに前傾することを阻止する。
【００４５】
このようにして、開放位置（Ｐ２）にある引戸２を、閉止位置（Ｐ１）にスムーズに移動することができる。
【００４６】
また、閉止位置（Ｐ１）では、他方の突出ピンＴＰが、引戸上端側レール２３内の一対の挟持要素ｈに挟持されて、引戸２が安定して静止する。
【００４７】
なお、上端側補助支持部１７の補助ローラ１７２部１６１が、引戸上端側レール２３の引戸上端側レール部２３１にスライド移動可能に係合されているので、引戸２のスライド移動を妨げることなく、引戸２の上端部が、パネル１の上端部から離間することを好適に防止している。
【００４８】
また、前傾している引戸２に対してさらに前傾する向きの力が加わった場合でも、補助車輪２７が床面に接地するので、前傾阻止に働く引戸側被支持体２５のローラ部１６１とパネル下端側レール１４の上壁１４ａとに、無用な負荷を与えずに済む。
【００４９】
（２）閉止位置（Ｐ１）にある引戸２を開放位置（Ｐ２）に移動する場合。
【００５０】
この場合も、各部は同様に動作するので説明を省略する。
【００５１】
このように、本実施形態に係る間仕切りシステムＺによれば、引戸２をパネル１に対してスライド移動させる際において、引戸２が傾動していない場合には、パネル１に設けたパネル側支持体１６が引戸２をスライド可能に支持し、また、引戸２が若干傾動した場合でも、そのパネル側支持体１６が引戸２を傾動を許容しながらスライド可能に支持する。また、引戸２が大きく傾動しようとすると、引戸２に設けた引戸側被支持体２５が、パネル１に当接して当該引戸２の傾動を阻止するように動作する。このように、いずれの場合であっても、スムーズに引戸２の開閉を行うことができる。加えて、パネル側支持体１６が引戸２を傾動を許容しながらスライド可能に支持するので、引戸２の傾動を押さえるために、高さ方向の寸法精度を上げる必要もなく、コストダウンを図ることもできる。
【００５２】
なお、前記パネル側支持体１６と引戸側被支持体２５とを、略同一高さにある複数のレールに関連させて設けているので、部材の共有化を図れコストダウンできる上、システムをコンパクトに実現できる。
【００５３】
また、パネル側支持体１６を、パネル１の一方の側縁部に設けるとともに、前記引戸側被支持体２５を、引戸２を閉止位置（Ｐ１）に位置付けた際には、前記パネル１の一方の側縁部と対応する位置に位置付けられ、又、引戸２を開放位置（Ｐ２）に位置付けた際には、前記パネル１の他方の側縁部と対応する位置に位置付けられるように、引戸２に設けているので、例えば、引戸２が幅広のものであっても、好適にスライドさせることができる。
【００５４】
また、パネル側支持体１６が、前記スライド方向に転動可能なローラ部１６１を有しているので、スムーズなスライド移動を実現できる。
【００５５】
前記パネル１が、下端縁に沿って設けたパネル下端側レール１４を具備するものであり、前記引戸側被支持体２５が、前記下端側レールに係合支持されつつ引戸２のスライド移動に伴ってスライド移動するものであるので、引戸２のスムーズなスライド移動を実現できる。
【００５６】
また、前記引戸側被支持体２５が、前記スライド方向に転動可能なローラ部１６１を有しているので、引戸２のスライド移動を妨げること無く、引戸２の傾動を防止できる。
【００５７】
また、補助車輪２７を備えているので、引戸２が無用に傾くことを補助的に阻止しながら、引戸２をスライド移動できる。
【００５８】
開放位置（Ｐ２）に移動してきた引戸２を、その開放位置（Ｐ２）にて保持する開放位置用保持部Ｈ２として機能する一対の挟持要素ｈを具備しているので、引戸２を、開放位置（Ｐ２）に確実に位置付けて安定して静止させることができる。
【００５９】
そして、この一対の挟持要素ｈを引戸上端側レール２３内に配しているので、間仕切りシステムＺをコンパクトにできる。
【００６０】
閉止位置（Ｐ１）に移動してきた引戸２を、その閉止位置（Ｐ１）にて保持する閉止位置用保持部Ｈ１として機能する一対の挟持要素ｈを具備しているので、引戸２を、閉止位置（Ｐ１）に確実に位置付けて安定して静止させることができる。
【００６１】
なお、本発明は、以上に詳述した実施形態に限られるものではない。
【００６２】
例えば、パネル側支持体１６及び引戸側被支持体２５が、スライド方向に転動可能なローラ部１６１を備えるようにしているが、例えば、摺動するものであってもよい。
【００６３】
また、パネル側支持体１６と引戸側被支持体２５とを、略同一高さにある複数のレールに関連させて設けているが、異なるレールに配することを妨げない。
【００６４】
また、接地体を、補助車輪２７で構成しているが、車輪のように転動するものでなくても構わない。
【００６５】
また、閉止位置用保持部Ｈ１及び開放位置用保持部Ｈ２を、突出部を挟持可能な一対の挟持要素ｈで実現しているが、突出部を着脱可能に保持し得るものであれば、これに限られるものではない。
【００６６】
その他、各部の具体的構成についても上記実施形態に限られるものではなく、本発明の趣旨を逸脱しない範囲で種々変形が可能である。
【図面の簡単な説明】
【００６７】
【図１】本発明の一実施形態に係る間仕切りシステムを示す全体斜視図。
【図２】同実施形態における間仕切りシステムを示す正面図（引戸は閉止位置（Ｐ１））。
【図３】同実施形態における間仕切りシステムを示す正面図（引戸は開放位置（Ｐ２））。
【図４】同実施形態における間仕切りシステムの要部（図３のＡ）を示す図。
【図５】同実施形態における間仕切りシステムの要部（図２のＢ）を示す図。
【図６】同実施形態における間仕切りシステムの要部（図３のＣ）を示す図。
【図７】同実施形態における間仕切りシステムの要部（図２のＤ）を示す図。
【図８】同実施形態における間仕切りシステムの要部（図５のａ−ａ及びｂ−ｂ断面）を示す図。
【図９】同実施形態における補助支持部本体を示す図。
【図１０】同実施形態における補助ローラ支持部を示す図。
【図１１】同実施形態における保持部を示す図。
【図１２】同実施形態における閉止位置用保持部及び開放位置用保持部を示す図。
【符号の説明】
【００６８】
Ｚ・・・・・・間仕切りシステム
１・・・・・・パネル
２・・・・・・引戸
１４・・・・・パネル下端側レール
１６・・・・・パネル側支持体
２２・・・・・引戸下端側レール
２３・・・・・引戸上端側レール
２５・・・・・引戸側被支持体
２７・・・・・接地体、車輪（補助車輪）
（Ｐ１）・・・閉止位置
（Ｐ２）・・・開放位置
Ｈ１・・・・・閉止位置用保持部
Ｈ２・・・・・開放位置用保持部
ｈ・・・・・・挟持要素
ＴＰ・・・・・突出部（突出ピン）
【図１】
2006097352.tif 000003
【図２】
2006097352.tif 000004
【図３】
2006097352.tif 000005
【図４】
2006097352.tif 000006
【図５】
2006097352.tif 000007
【図６】
2006097352.tif 000008
【図７】
2006097352.tif 000009
【図８】
2006097352.tif 000010
【図９】
2006097352.tif 000011
【図１０】
2006097352.tif 000012
【図１１】
2006097352.tif 000013
【図１２】
2006097352.tif 000014